(57)【特許請求の範囲】
【請求項１】
記録情報を記録可能であると共に、当該記録情報が記録される記録トラックへ光ビームを誘導するためのガイドトラックに制御情報を記録するためのプリピットが予め形成された情報記録媒体に対し、当該プリピットを検出するプリピット検出装置であって、
前記記録トラックに照射された光ビームの反射光を、前記記録トラックに光学的に略平行な第１の分割線と、前記記録トラックに光学的に略直交する第２の分割線により分割し、前記第１の分割線に対して前記プリピットが形成されたガイドトラック側であって、前記第２の分割線に対して前記光ビームの進行方向の反対側に位置する第１分割領域と、前記第１の分割線に対して前記プリピットが形成されたガイドトラックの反対側であって、前記第２の分割線に対して前記光ビームの進行方向の反対側に位置する第２分割領域と、前記第１の分割線に対して前記プリピットが形成されたガイドトラックの反対側であって、前記第２の分割線に対して前記光ビームの進行方向側に位置する第３分割領域と、前記第１の分割線に対して前記プリピットが形成されたガイドトラック側であって、前記第２の分割線に対して前記光ビームの進行方向側に位置する第４分割領域とが設けられ、それぞれが前記反射光を受光する受光手段と、
前記第１分割領域による検出信号から前記第３分割領域による検出信号を減算して、第１差分信号を生成する第１差分信号生成手段と、
前記第４分割領域による検出信号から前記第２分割領域による検出信号を減算して、第２差分信号を生成する第２差分信号生成手段と、
前記第２差分信号に対し、前記光ビームの進行方向側とその反対側における受光タイミングの遅延に対応して予め設定される遅延時間だけ、当該第２差分信号を遅延させて補正信号を出力する補正手段と、
前記第１差分信号と前記補正信号とを加算して、プリピット検出信号を出力するプリピット検出信号出力手段と、
を備えることを特徴とするプリピット検出装置。
【請求項２】
記録情報を記録可能であると共に、当該記録情報が記録される記録トラックへ光ビームを誘導するためのガイドトラックに制御情報を記録するためのプリピットが予め形成された情報記録媒体に対し、当該プリピットを検出するプリピット検出装置であって、
前記記録トラックに照射された光ビームの反射光を、前記記録トラックに光学的に略平行な第１の分割線と、前記記録トラックに光学的に略直交する第２の分割線により分割し、前記第１の分割線に対して前記プリピットが形成されたガイドトラック側であって、前記第２の分割線に対して前記光ビームの進行方向の反対側に位置する第１分割領域と、前記第１の分割線に対して前記プリピットが形成されたガイドトラックの反対側であって、前記第２の分割線に対して前記光ビームの進行方向の反対側に位置する第２分割領域と、前記第１の分割線に対して前記プリピットが形成されたガイドトラックの反対側であって、前記第２の分割線に対して前記光ビームの進行方向側に位置する第３分割領域と、前記第１の分割線に対して前記プリピットが形成されたガイドトラック側であって、前記第２の分割線に対して前記光ビームの進行方向側に位置する第４分割領域とが設けられ、それぞれが前記反射光を受光する受光手段と、
前記第２分割領域による検出信号に対し、前記光ビームの進行方向側とその反対側における受光タイミングの遅延に対応して予め設定される遅延時間だけ、当該検出信号を遅延させて第１補正信号を出力する第１補正手段と、
前記第４分割領域による検出信号に対し、前記遅延時間だけ、当該検出信号を遅延させて第２補正信号を出力する第２補正手段と、
前記第１分割領域による検出信号と前記第２補正信号とを加算して第１加算信号を生成する第１加算信号生成手段と、
前記第３分割領域による検出信号と前記第１補正信号とを加算して第２加算信号を生成する第２加算信号生成手段と、
前記第１加算信号から前記第２加算信号を減算してプリピット検出信号を出力するプリピット検出信号出力手段と、
を備えることを特徴とするプリピット検出装置。
【請求項３】
記録情報を記録可能であると共に、当該記録情報が記録される記録トラックへ光ビームを誘導するためのガイドトラックに制御情報を記録するためのプリピットが予め形成された情報記録媒体に対し、当該プリピットを検出するプリピット検出装置であって、
前記記録トラックに照射された光ビームの反射光を、前記記録トラックに光学的に略平行な第１の分割線と、前記記録トラックに光学的に略直交する第２の分割線により分割し、前記第１の分割線に対して前記プリピットが形成されたガイドトラック側であって、前記第２の分割線に対して前記光ビームの進行方向の反対側に位置する第１分割領域と、前記第１の分割線に対して前記プリピットが形成されたガイドトラックの反対側であって、前記第２の分割線に対して前記光ビームの進行方向の反対側に位置する第２分割領域と、前記第１の分割線に対して前記プリピットが形成されたガイドトラックの反対側であって、前記第２の分割線に対して前記光ビームの進行方向側に位置する第３分割領域と、前記第１の分割線に対して前記プリピットが形成されたガイドトラック側であって、前記第２の分割線に対して前記光ビームの進行方向側に位置する第４分割領域とが設けられ、前記第１分割領域乃至前記第４分割領域の各分割領域が前記反射光を受光して、検出信号Ａ、検出信号Ｂ、検出信号Ｃ、検出信号Ｄを出力する受光手段と、
前記検出信号Ａ、前記検出信号Ｃ、及び所定の遅延時間だけ前記検出信号Ｂ及び前記検出信号Ｄを遅延させた検出信号Ｂ’及び検出信号Ｄ’を基に、前記検出信号Ａ−前記検出信号Ｂ’−前記検出信号Ｃ＋前記検出信号Ｄ’で示されるプリピット検出信号を生成するプリピット検出信号生成手段と、
を備えることを特徴とするプリピット検出装置。
【請求項４】
前記プリピット検出信号生成手段は、
前記第１分割領域による前記検出信号Ａから前記第３分割領域による前記検出信号Ｃを減算して、第１差分信号を生成する第１差分信号生成手段と、
前記第４分割領域による前記検出信号Ｄから前記第２分割領域による前記検出信号Ｂを減算して、第２差分信号を生成する第２差分信号生成手段と、
当該第２差分信号を前記所定の遅延時間だけ遅延させる補正手段と、
前記第１差分信号と遅延された前記第２補正信号を加算して、プリピット検出信号を出力するプリピット検出信号出力手段と、
を備えることを特徴とする請求項３に記載のプリピット検出装置。
【請求項５】
前記プリピット検出信号生成手段は、
前記第２分割領域による前記検出信号Ｂに対し、前記所定の遅延時間だけ当該検出信号Ｂを遅延させて第１補正信号を出力する第１補正手段と、
前記第４分割領域による前記検出信号Ｄに対し、前記所定の遅延時間だけ当該検出信号Ｄを遅延させて第２補正信号を出力する第２補正手段と、
前記第１分割領域による前記検出信号Ａと前記第２補正信号を加算して第１加算信号を生成する第１加算信号生成手段と、
前記第３分割領域による前記検出信号Ｃと前記第１補正信号を加算して第２加算信号を生成する第２加算信号生成手段と、
前記第１加算信号から前記第２加算信号を減算してプリピット検出信号を生成し、出力するプリピット検出信号出力手段と、
を備えることを特徴とする請求項３に記載のプリピット検出装置。
【請求項６】
前記所定の遅延時間は、前記光ビームの進行方向側とその反対側における受光タイミングの遅延に対応して予め設定される時間であることを特徴とする請求項３乃至請求項５のいずれか１項に記載のプリピット検出装置。
【請求項７】
前記記録トラックはグルーブトラックであり、前記ガイドトラックはランドトラックであることを特徴とする請求項１乃至請求項６のいずれか１項に記載のプリピット検出装置。
【発明の詳細な説明】
【０００１】
【発明の属する技術分野】
本発明は、ＤＶＤに代表される記録密度の高い情報記録媒体のうち、ＤＶＤリライタブル（以下、ＤＶＤ−ＲＷと呼ぶ）などのように繰り返し書き込み可能な情報記録媒体において、アドレス情報等の各種制御情報が予め記録されるプリピットを検出するプリピット検出装置の技術分野に属する。
【０００２】
【従来の技術】
前述のように、ＤＶＤ−ＲＷなどの情報記録媒体においては、予めプリフォーマット段階でアドレス情報等の各種制御情報を記録したプリピットがディスク上に形成される。そして、当該情報記録媒体に対する記録又は再生を行うに際し、このプリピットを検出することにより、必要な制御情報の取得が可能となる。
【０００３】
例えば、ＤＶＤ−ＲＷにおいては、グルーブトラックに、結晶状態か非晶質状態かによって反射率を変化させることで情報ピットが形成され、ランドトラックに、凹凸形状による位相ピットとしてのプリピットが予め形成されている。
【０００４】
ところで、一般に情報を記録媒体に対する再生、記録を行うために用いる光ピックアップには、非点収差によるファーカシングサーボや、プッシュプルによるトラッキングサーボを実現するために、４分割型受光素子が使用されることが多い。従って、前記プリピット検出は、このような受光素子を利用することにより行うことができる。
【０００５】
例えば、図６に示すように、グルーブトラック１上に照射されるビームスポットの反射光を、受光素子にて領域Ａ乃至Ｄの４つに分割してそれぞれ検出信号を得て、ランドトラック２に形成されたプリピット３を、（Ａ−Ｂ）＋（Ｄ−Ｃ）を求めることにより検出すればよい。
【０００６】
【発明が解決しようとする課題】
しかしながら、前記従来のプリピット検出においては、位相ピットの特性による検出信号の遅延を考慮する必要がある。すなわち、例えば、ＤＶＤ−Ｒなどの情報記録媒体において、情報ピットとプリピットは、共に基板を凹凸形状にして光ビームに位相差を与え、ピットでの回折により変調された光強度を検出するものである。よって、この位相ピットでの回折効率や回折角などの特性の相違に起因して、受光素子のそれぞれの領域ごとに検出タイミングが変わってくる。
【０００７】
図７に、従来の４分割型受光素子を用いてプリピット検出を行う方法を示す。図６から明らかなように、４つの領域中、ＣとＤが光ディスクに対する光ビームの相対的な進行方向の前方に、ＡとＢが後方にそれぞれ位置するので、情報ピットの検出タイミングは、ＡとＢがΔｔ１だけ遅延している。一方、プリピットの検出タイミングは、ビームスポットがグルーブトラックにあり、プリピットがランドトラック上にあることにより、複雑な回折特性となる結果、ＢとＤが先に変化し、ＡとＣはΔｔ２だけ遅延して変化する。加えて、ＡとＤは光強度を弱める方向に変化し、ＢとＣは光強度を強める方向に変化する。
【０００８】
そして、Ａ−Ｂ、Ｄ−Ｃをそれぞれ算出すると、これらの信号中、情報ピットによる変化分はキャンセルされ、プリピットによる変化分だけが残存する。最後に、これらを加えて（Ａ−Ｂ）＋（Ｄ−Ｃ）で算出される信号によりプリピット検出を行う。このとき、図中のｍ１がプリピット検出範囲であり、検出マージンとなる。このｍ１の範囲内で適宜にスレッシュホールドを設定してプリピットが読み取られる。
【０００９】
このとき、前述の遅延時間Δｔ２がゼロであると場合には、得られるプリピット検出範囲ｍ１は大きくなるはずである。ところが、実際にはΔｔ２の遅延があることによって、プリピットによる変化部分のピークが一致せず、ｍ１を小さくしてしまう結果になっている。これにより、プリピット検出精度が制約を受けると共に、ノイズにより誤動作の影響がその分だけ大きくなってしまうことが問題である。
【００１０】
そこで、本発明は上述した問題に鑑みなされたものであり、その課題は、検出遅延によるプリピットの検出マージンの低下を防止し、検出精度が高く、ノイズの影響を受けにくいプリピット検出装置を提供することにある。
【００１１】
【課題を解決するための手段】
上記課題を解決するために、請求項１に記載のプリピット検出装置は、記録情報を記録可能であると共に、当該記録情報が記録される記録トラックへ光ビームを誘導するためのガイドトラックに制御情報を記録するためのプリピットが予め形成された情報記録媒体に対し、当該プリピットを検出するプリピット検出装置であって、前記記録トラックに照射された光ビームの反射光を、前記記録トラックに光学的に略平行な第１の分割線と、前記記録トラックに光学的に略直交する第２の分割線により分割し、前記第１の分割線に対して前記プリピットが形成されたガイドトラック側であって、前記第２の分割線に対して前記光ビームの進行方向の反対側に位置する第１分割領域と、前記第１の分割線に対して前記プリピットが形成されたガイドトラックの反対側であって、前記第２の分割線に対して前記光ビームの進行方向の反対側に位置する第２分割領域と、前記第１の分割線に対して前記プリピットが形成されたガイドトラックの反対側であって、前記第２の分割線に対して前記光ビームの進行方向側に位置する第３分割領域と、前記第１の分割線に対して前記プリピットが形成されたガイドトラック側であって、前記第２の分割線に対して前記光ビームの進行方向側に位置する第４分割領域とが設けられ、それぞれが前記反射光を受光する受光手段と、前記第１分割領域による検出信号から前記第３分割領域による検出信号を減算して、第１差分信号を生成する第１差分信号生成手段と、前記第４分割領域による検出信号から前記第２分割領域による検出信号を減算して、第２差分信号を生成する第２差分信号生成手段と、前記第２差分信号に対し、前記光ビームの進行方向側とその反対側における受光タイミングの遅延に対応して予め設定される遅延時間だけ、当該第２差分信号を遅延させて補正信号を出力する補正手段と、前記第１差分信号と前記補正信号とを加算して、プリピット検出信号を出力するプリピット検出信号出力手段とを備えることを特徴とする。
【００１２】
請求項１に記載の発明によれば、光ビームが情報記録媒体の記録トラックに照射されると、その反射光は、記録トラックに略平行な第１の分割線と略直交する第２の分割線により分割された４つの分割領域を有する受光手段により受光される。そして、ガイドトラック側で、かつ光ビームの進行方向の反対側にある第１分割領域の検出信号から、ガイドトラックの反対側で、かつ光ビームの進行方向側にある第３分割領域の検出信号を減算して、第１差分信号が生成される。また、ガイドトラック側で、かつ光ビームの進行方向側にある第４分割領域の検出信号から、ガイドトラックの反対側で、かつ光ビームの進行方向側にある第３分割領域の検出信号を減算して、第２差分信号が生成される。
【００１３】
このとき、位相ピットとしてのプリピット検出の受光タイミングの遅延を補正するため、補正手段により第２差分信号に対し、予め設定される遅延時間だけ遅延させた補正信号が出力される。その後、第１差分信号と補正信号とを加算して、プリピット検出信号が出力される。
【００１４】
よって、得られたプリピット検出信号においては、情報ピットによる変化分はキャンセルされる一方、プリピットによる変化分は、各分割領域の変化分が加えられ、しかも遅延時間がキャンセルされてピークが一致した状態に補正されるので、検出マージンは最大化される。そのため、ノイズ等による検出信号の変動の影響を受けにくいプリピット検出を行うことができる。
【００１５】
上記課題を解決するために、請求項２に記載のプリピット検出装置は、記録情報を記録可能であると共に、当該記録情報が記録される記録トラックへ光ビームを誘導するためのガイドトラックに制御情報を記録するためのプリピットが予め形成された情報記録媒体に対し、当該プリピットを検出するプリピット検出装置であって、前記記録トラックに照射された光ビームの反射光を、前記記録トラックに光学的に略平行な第１の分割線と、前記記録トラックに光学的に略直交する第２の分割線により分割し、前記第１の分割線に対して前記プリピットが形成されたガイドトラック側であって、前記第２の分割線に対して前記光ビームの進行方向の反対側に位置する第１分割領域と、前記第１の分割線に対して前記プリピットが形成されたガイドトラックの反対側であって、前記第２の分割線に対して前記光ビームの進行方向の反対側に位置する第２分割領域と、前記第１の分割線に対して前記プリピットが形成されたガイドトラックの反対側であって、前記第２の分割線に対して前記光ビームの進行方向側に位置する第３分割領域と、前記第１の分割線に対して前記プリピットが形成されたガイドトラック側であって、前記第２の分割線に対して前記光ビームの進行方向側に位置する第４分割領域とが設けられ、それぞれが前記反射光を受光する受光手段と、前記第２分割領域による検出信号に対し、前記光ビームの進行方向側とその反対側における受光タイミングの遅延に対応して予め設定される遅延時間だけ、当該検出信号を遅延させて第１補正信号を出力する第１補正手段と、前記第４分割領域による検出信号に対し、前記遅延時間だけ、当該検出信号を遅延させて第２補正信号を出力する第２補正手段と、前記第１分割領域による検出信号と前記第２補正信号とを加算して第１加算信号を生成する第１加算信号生成手段と、前記第３分割領域による検出信号と前記第１補正信号とを加算して第２加算信号を生成する第２加算信号生成手段と、前記第１加算信号から前記第２加算信号を減算してプリピット検出信号を出力するプリピット検出信号出力手段とを備えることを特徴とする。
【００１６】
請求項２に記載の発明によれば、光ビームが情報記録媒体の記録トラックに照射されると、その反射光は、記録トラックに略平行な第１の分割線と略直交する第２の分割線により分割された４つの分割領域を有する受光手段により受光される。このとき、位相ピットとしてのプリピット検出の受光タイミングの遅延を補正するため、ガイドトラックの反対側で、かつ光ビームの進行方向の反対側にある第２分割領域の検出信号に対し、予め設定される遅延時間だけ遅延させた第１補正信号が出力される。また、ガイドトラック側で、かつ光ビームの進行方向側にある第４分割領域の検出信号に対しても、前記遅延時間だけ遅延させた第２補正信号が出力される。
【００１７】
そして、第１分割領域の検出信号と第２補正信号とが加算された第１加算信号、及び、第３分割領域の検出信号と第１補正信号とが加算された第２加算信号が、それぞれ生成される。その後、第１加算信号から第２加算信号が減算されたプリピット検出信号が出力される。
【００１８】
よって、得られたプリピット検出信号においては、請求項１の場合と同様、情報ピットによる変化分はキャンセルされる一方、プリピットによる変化分は、各分割領域の変化分が加えられ、しかも遅延時間がキャンセルされてピークが一致した状態に補正されるので、検出マージンは最大化される。そのため、ノイズ等による検出信号の変動の影響を受けにくいプリピット検出を行うことができる。
上記課題を解決するために、請求項３に記載のプリピット検出装置は、記録情報を記録可能であると共に、当該記録情報が記録される記録トラックへ光ビームを誘導するためのガイドトラックに制御情報を記録するためのプリピットが予め形成された情報記録媒体に対し、当該プリピットを検出するプリピット検出装置であって、前記記録トラックに照射された光ビームの反射光を、前記記録トラックに光学的に略平行な第１の分割線と、前記記録トラックに光学的に略直交する第２の分割線により分割し、前記第１の分割線に対して前記プリピットが形成されたガイドトラック側であって、前記第２の分割線に対して前記光ビームの進行方向の反対側に位置する第１分割領域と、前記第１の分割線に対して前記プリピットが形成されたガイドトラックの反対側であって、前記第２の分割線に対して前記光ビームの進行方向の反対側に位置する第２分割領域と、前記第１の分割線に対して前記プリピットが形成されたガイドトラックの反対側であって、前記第２の分割線に対して前記光ビームの進行方向側に位置する第３分割領域と、前記第１の分割線に対して前記プリピットが形成されたガイドトラック側であって、前記第２の分割線に対して前記光ビームの進行方向側に位置する第４分割領域とが設けられ、前記第１分割領域乃至前記第４分割領域の各分割領域が前記反射光を受光して、検出信号Ａ、検出信号Ｂ、検出信号Ｃ、検出信号Ｄを出力する受光手段と、前記検出信号Ａ、前記検出信号Ｃ、及び所定の遅延時間だけ前記検出信号Ｂ及び前記検出信号Ｄを遅延させた検出信号Ｂ’及び検出信号Ｄ’を基に、前記検出信号Ａ−前記検出信号Ｂ’−前記検出信号Ｃ＋前記検出信号Ｄ’で示されるプリピット検出信号を生成するプリピット検出信号生成手段と、を備えることを特徴とする。
上記課題を解決するために、請求項４に記載のプリピット検出装置は、請求項３に記載のプリピット検出装置において、前記プリピット検出信号生成手段は、前記第１分割領域による前記検出信号Ａから前記第３分割領域による前記検出信号Ｃを減算して、第１差分信号を生成する第１差分信号生成手段と、前記第４分割領域による前記検出信号Ｄから前記第２分割領域による前記検出信号Ｂを減算して、第２差分信号を生成する第２差分信号生成手段と、
当該第２差分信号を前記所定の遅延時間だけ遅延させる補正手段と、前記第１差分信号と遅延された前記第２補正信号を加算して、プリピット検出信号を出力するプリピット検出信号出力手段と、を備えることを特徴とする。
上記課題を解決するために、請求項５に記載のプリピット検出装置は、請求項３に記載のプリピット検出装置において、前記プリピット検出信号生成手段は、前記第２分割領域による前記検出信号Ｂに対し、前記所定の遅延時間だけ当該検出信号Ｂを遅延させて第１補正信号を出力する第１補正手段と、前記第４分割領域による前記検出信号Ｄに対し、前記所定の遅延時間だけ当該検出信号Ｄを遅延させて第２補正信号を出力する第２補正手段と、前記第１分割領域による前記検出信号Ａと前記第２補正信号を加算して第１加算信号を生成する第１加算信号生成手段と、前記第３分割領域による前記検出信号Ｃと前記第１補正信号を加算して第２加算信号を生成する第２加算信号生成手段と、前記第１加算信号から前記第２加算信号を減算してプリピット検出信号を生成し、出力するプリピット検出信号出力手段と、
を備えることを特徴とする。
上記課題を解決するために、請求項６に記載のプリピット検出装置は、請求項３乃至請求項５のいずれか１項に記載のプリピット検出装置において、前記所定の遅延時間は、前記光ビームの進行方向側とその反対側における受光タイミングの遅延に対応して予め設定される時間であることを特徴とする。
【００１９】
上記課題を解決するために、請求項７に記載のプリピット検出装置は、請求項１乃至請求項６のいずれか１項に記載のプリピット検出装置において、前記記録トラックはグルーブトラックであり、前記ガイドトラックはランドトラックであることを特徴とする。
【００２０】
請求項７に記載の発明によれば、情報記録媒体のグルーブトラック上を光ビームで照射して情報ピットを検出し、並列するランドトラック上に形成されたプリピットの検出が別個に行われる。
【００２１】
よって、情報ピットの検出とプリピットの検出とで、相互に与える影響を軽減しつつ、高性能にプリピット検出を行うことができる。
【００２２】
【発明の実施の形態】
以下、本発明の好適な実施の形態を図面に基づいて説明する。なお、以下の説明では、本発明をＤＶＤ−ＲＷに対応するプリピット検出装置に対して説明する場合について説明を行う。
【００２３】
図１は、本実施形態に係るプリピット検出装置の第１実施形態の概略構成を示すブロック図である。なお、本実施形態に係るプリピット検出装置において使用される４分割型受光素子の分割形状とビームスポットとの対応関係は、既に説明した図６に示す従来の分割型受光素子と同様であるものとして、以下の説明を行う。
【００２４】
図1に示すように、第１実施形態に係るプリピット検出装置は、減算器１０、１１と、プログラマブルディレイライン１２と、ＣＰＵ１３と、加算器１４とを備えている。図１においては、前述したように、４分割型受光素子はディスクに照射された光ビームの反射光を、Ａ、Ｂ、Ｃ、Ｄの４つの領域に分割して受光する。そして、Ａ乃至Ｄの各分割領域から、それぞれ反射光による検出信号を出力する。
【００２５】
ここで、図２により、このＡ乃至Ｄの検出信号のパターンを説明する。図２では、始めにグルーブトラック１の情報ピットが検出されるが、従来の場合の図７における遅延時間Δｔ１は現れないことがわかる。すなわち、情報ピットを検出する際のＡ乃至Ｄの変化は同タイミングとなる。
【００２６】
ここで、ＤＶＤ−ＲＷにおいては、情報ピットが位相ピットではなく、相変化記録を用いて、記録膜が結晶状態か非晶質状態かで異なる反射率の変化を検出するものである。そのため、光ビームの位相差に基づく回折特性の違いに起因する各分割領域ごとの検出遅延が生じないのである。
【００２７】
なお、この点は著書「光ディスクシステム（朝倉書店発行、応用物理学会・光学懇話会編）」等により知られている。
【００２８】
次に、ランドトラック２のプリピット３が検出される。この場合は、図７と同様に変化し、先に変化するＢとＤに対して、後に変化するＡとＣは、Δｔ２だけ遅延を生じる。すなわち、プリピット３は、ＤＶＤ−ＲＷにおいても出荷の際、予め形成されているものであり、書き換え不要であるため凹凸形状の位相ピットとなっているためである。なお、Ａ乃至Ｄの光強度の強弱の変化も図７の場合と同様となっている。
【００２９】
図１において、ＡとＣの検出信号は減算器１０に入力される。そして、減算器１０では、ＡとＣの検出信号の差分をとって、Ａ−Ｃに対応する差分信号が出力される。その結果、差分信号Ａ−Ｃは、図２に示すパターンで変化する。すなわち、情報ピットによる変化はキャンセルされ、プリピット３に対応する変化のみが現れる波形パターンとなる。
【００３０】
また、図１において、ＢとＤの検出信号は、減算器１１に入力される。そして、減算器１１では、ＢとＤの検出信号の差分をとって、Ｄ−Ｂに対応する差分信号が出力される。その結果、差分信号Ｄ−Ｂは、図2に示すパターンで変化し、この場合も、情報ピットによる変化はキャンセルされ、プリピット３に対応する変化のみが現れる波形パターンが得られる。
【００３１】
このとき、差分信号Ａ−ＣとＤ−Ｂは、変化の方向がどちらも同じであるが、差分信号Ｄ−Ｂに対し、差分信号Ａ−Ｃは、前述の遅延時間Δｔ２だけ遅れて変化のピークが現れる関係になっている。そこで、本実施形態では、図１に示すように、差分信号Ｄ−Ｂを、補正手段としてのプログラマブルディレイライン１２に入力して、遅延時間Δｔ２をキャンセルさせた補正信号が出力されるように構成する。
【００３２】
プログラマブルディレイライン１２は、入力された差分信号Ｄ−Ｂを、ＣＰＵ１３により設定される遅延時間だけ保持し、当該遅延時間だけずらした補正信号（Ｄ−Ｂ）'を出力する。例えば、計時手段を用いて、信号が入力されるタイミングに対して、出力すべきタイミングを定めればよい。なお、プログラマブルディレイライン１２には、設定される遅延時間に対応する差分信号Ｄ−Ｂを保持できるだけのメモリ容量が必要となる。
【００３３】
ＣＰＵ１３は、前述したようにプログラマブルディレイライン１２に対して、遅延時間の設定を行う。ここで、設定される遅延時間は、複数用意することができ、この中の特定の遅延時間を選択するようにできる。すなわち、Δｔ２に一致する遅延時間を設定することが望ましいのであるが、実際には、Δｔ２は、ディスクの種別やディスクに対する線速度によって大きさが変化する。よって、複数の設定値の中から、Δｔ２に最も近いものを選択して設定するようにしたものである。
【００３４】
次に、減算器１０から出力された差分信号Ａ−Ｃと、プログラマブルディレイライン１２から出力された補正信号（Ｄ−Ｂ）'は、加算器１４に入力される。この加算器１４では、差分信号Ａ−Ｃと補正信号（Ｄ−Ｂ）'とを加えることにより、プリピット検出信号（Ａ−Ｃ）＋（Ｄ−Ｂ）'を出力する。
【００３５】
ここで、図２に示すように、差分信号Ａ−Ｃと、補正信号（Ｄ−Ｂ）'は、プリピット３に対して同様の変化パターンを示すと共に、変化は同一タイミングであって、ピークも一致している。従って、加算器１０から出力されるプリピット検出信号(Ａ−Ｃ)＋（Ｄ−Ｂ）'も、差分信号Ａ−Ｃ、補正信号（Ｄ−Ｂ）'と同一タイミングで変化すると共に、２倍の大きさでピークが現れる。これにより、プリピット検出範囲ｍ２は、図７に示す従来のプリピット検出の場合のプリピット検出範囲ｍ１に比べると大きく取れることになる。
【００３６】
このプリピット検出範囲ｍ２において、適切にスレッシュホールドを設定することにより、当該スレッシュホールドを超えるか否かで、プリピット３の判定が行われる。このとき、受光素子にて受光される光ビームの反射光の強度がノイズ等の影響で変動する場合に、プリピット検出範囲ｍ２が大きければ大きいほど、検出マージンが十分に確保されるため、検出信号レベルの変動の影響を受けにくくなる。よって、第１実施形態によりプリピット検出装置を構成した場合には、従来のプリピット装置に比べると、同じ検出信号を用いた場合でも、検出精度が高く、良好な検出性能が得られることになる。
【００３７】
図３は、本実施形態に係るプリピット検出装置の第２実施形態の概略構成を示すブロック図である。なお、プリピット検出装置において使用される４分割型受光素子の分割形状とビームスポットとの対応関係は、第１実施形態の場合と同様である。
【００３８】
図３に示すように、第２実施形態に係るプリピット検出装置は、プログラマブルディレイライン２０、２１と、加算器２２、２３と、減算器２４と、ＣＰＵ２５とを備えている。図３におけるＡ乃至Ｄは、図１の場合と同様、ディスクに照射された光ビームの反射光を、４分割型受光素子の４つの分割領域で分割して受光し、出力される検出信号に対応するものである。
【００３９】
図４に示すように、各検出信号Ａ乃至Ｄのパターンは、図１に示す第１実施形態の場合と同様に変化する。すなわち、情報ピット検出時の検出パターンは同一タイミングで変化し、プリピット検出時の検出パターンは、ＢとＤに対してＡとＣでは、Δｔ２だけの遅延を伴って変化する。
【００４０】
ここで、第２実施形態では、プリピット検出の際に、時間的に検出パターンの変化が先行するＢとＤの検出信号に対して、加減算処理を行う前に予め遅延をキャンセルさせるように構成されている。そして、同一の変化タイミングとなったＡ乃至Ｄの補正された検出信号を用いてプリピット検出が行われる。
【００４１】
実際には、図３において、検出信号Ｂがプログラマブルディレイライン２０に入力され、ＣＰＵ２５により設定される遅延時間だけ保持され、当該遅延時間だけずらした補正信号Ｂ'が出力される。また、検出信号Ｄは、プログラマブルディレイライン２１に入力され、前記遅延時間だけすらした補正信号Ｄ'が出力される。
【００４２】
なお、ＣＰＵ２５によるプログラマブルディレイライン２０、２１に対する遅延時間の設定は、同じ設定値を用いることができると共に、第１実施形態の場合と同様、複数の設定値の中から最適なものを選択して設定を行うことが可能である。
【００４３】
そして、検出信号Ａとプログラマブルディレイライン２１から出力された補正信号Ｄ'が、加算器２２に入力される。この加算器２２では、ＡとＤ'を加えることで、Ａ＋Ｄ'に対応する加算信号が出力される。その結果、加算信号Ａ＋Ｄ'は、図４に示すパターンで変化し、情報ピットに対応する変化分と、プリピット３に対応する変化分が含まれる波形パターンが得られる。
【００４４】
一方、プログラマブルディレイライン２０から出力された補正信号Ｂ'と検出信号Ｃが、加算器２３に入力される。この加算器２３では、Ｂ'とＣを加えることで、Ｂ'＋Ｃに対応する加算信号が出力される。この場合も、図４に示すように、情報ピットによる対応する変化分と、プリピット３に対応する変化分が含まれる波形パターンが得られる。
【００４５】
次に、加算器２２から出力された加算信号Ａ＋Ｄ'と、加算器２３から出力された加算信号Ｂ'＋Ｃは、減算器２４に入力される。この減算器２４では、２つの加算信号Ａ＋Ｄ'とＢ'＋Ｃの差分をとって、プリピット検出信号（Ａ＋Ｄ'）−（Ｂ'＋Ｃ）を出力する。
【００４６】
この結果、加算信号Ａ＋Ｄ'と、加算信号Ｂ'＋Ｃに含まれていた情報ピットによる変化分がキャンセルされる。一方、Ａ、Ｄ'、Ｂ'、Ｃの各信号は、プリピット３に対して同一タイミングで変化し、同方向にピークがそろう。よって、プリピット検出信号（Ａ＋Ｄ'）−（Ｂ'＋Ｃ）は、第１実施形態の場合のプリピット検出信号(Ａ−Ｃ)＋（Ｄ−Ｂ）'と同様な波形パターンとなる。すなわち、第１実施形態と第２実施形態とは、加減算処理と遅延時間に対する補正を行う順序が前後する点で異なるだけにすぎない。よって、当該プリピット検出信号（Ａ＋Ｄ'）−（Ｂ'＋Ｃ）は、第１実施形態と同様に、プリピット検出範囲ｍ２を有することになる。
【００４７】
従って、第２実施形態によりプリピット検出装置を構成した場合にも、第１実施形態により構成したプリピット検出装置と同様、ノイズ等の影響による変動に対して、十分な検出マージンが確保され、従来のプリピット検出装置に比べて、良好な検出性能を得ることが可能となる。
【００４８】
なお、以上説明した第１実施形態及び第２実施形態においては、何れの場合も、プリピット３は位相ピットである一方、情報ピットは位相ピットではなく、相変化記録等の反射率の変化により情報が記録されるピットであることが、本発明を適用するための必要条件となる。これを、図５を用いて説明する。
【００４９】
図５は、第１実施形態と同様のプリピット検出を、ＤＶＤ−Ｒ（ＤＶＤ−Recordable）に対して行う場合を説明する図である。すなわち、ＤＶＤ−Ｒは、相変化記録等は用いられず、情報ピットとプリピット３は共に位相ピットであるので、前記必要条件は満たされていない。なお、以下の説明においても、４分割型受光素子の分割形状とビームスポットとの対応関係は、第１実施形態、第２実施形態の場合と同様であるものとする。
【００５０】
図５に示すように、各検出信号Ａ乃至Ｄの波形パターンは、図７に示す従来例と同様であり、情報ピット検出時の検出パターンは、進行方向前方のＣとＤに対してＡとＤはΔｔ１だけ遅延し、プリピット検出時の検出パターンは、ＢとＤに対してＡとＣでは、Δｔ２だけ遅延して、それぞれ変化する。
【００５１】
このとき、第１実施形態形態における図１に示した構成を用いて、プリピット検出を行う場合を考える。まず、減算器１０から出力される差分信号Ａ−Ｃと、減算器１１から出力される差分信号Ｄ−Ｂは、図５に示すように、プリピット３に対応する変化分に加え、情報ピットの検出パターンのエッジに、パルスが現れる。これは、情報ピットが位相ピットであるため。ＡとＣ、ＢとＤは、それぞれ光ビームの進行方向に対して前後の位置関係となり、遅延時間Δｔ１だけ波形パターンがずれるために生じるものである。
【００５２】
そして、プリピット３の遅延時間Δｔ２をキャンセルするため、プログラマブルディレイライン１２により、補正信号（Ｄ−Ｂ）'を出力した後、加算器１４において、この補正信号（Ｄ−Ｂ）'と、差分信号（Ａ−Ｃ）とを加えて、プリピット検出信号（Ａ−Ｃ）＋（Ｄ−Ｂ）'が出力される。
【００５３】
このようにして得られたプリピット検出信号（Ａ−Ｃ）＋（Ｄ−Ｂ）'には、図２の場合と同様、プリピット検出範囲ｍ２に相当する変化が現れるが、これに加えて、情報ピットの検出パターンの影響によるパルスが多く含まれている。これにより、プリピット３が誤検出されることになるので、実際のプリピット検出範囲はｍ２からこの情報ピットの誤差分を差し引いたｍ３しか確保されなくなる。よって、図１の構成をＤＶＤ−Ｒにおけるプリピット検出に適用するのは困難であることがわかる。
【００５４】
以上説明したように、本実施形態に係るプリピット検出装置を用いたＤＶＤ−ＲＷに対するプリピット検出においては、受光素子の分割領域ごとのプリピット検出タイミングの遅延を補正すると共に、所定の加減算処理を行ってプリピット検出信号を得るようにした。その結果、位相ピットではない情報ピットの変化分のみが除去される一方、位相ピットとして形成されるプリピット３の変化分は、プリピット検出範囲ｍ２となり、大きな検出マージンが確保される。よって、検出信号のノイズ等による変動に伴うプリピット３の誤検出の可能性を低くする。
【００５５】
なお、本実施形態においては、記録情報を繰り返し記録可能なＤＶＤ−ＲＷに対して本発明を適用した場合について説明したが、これ以外にも、情報ピットが反射率の変化で記録され、プリピット３が位相ピットとして形成される情報記録媒体に対して、本発明を適用することが可能である。
【００５６】
更には、情報ピットに位相変化を生じない情報記録媒体だけではなく、情報ピットの位相変化が少なく、ｍ３＞ｍ１を満足するような情報記録媒体であっても本発明の適用が可能であり、同様の効果を得られる。また、情報ピットが位相ピットとして形成される情報記録媒体であっても、ピットの深さがλ／４ｎであれば、本発明の適用が可能であり、同様の効果を得られる。
【００５７】
【発明の効果】
請求項１に記載の発明によれば、プリピット検出信号中、情報ピットによる変化分はキャンセルされ、プリピットによる変化分は、遅延時間をキャンセルした上で、各分割領域の変化分が加えられ、ピークが一致した状態となるので、プリピットの検出マージンが最大化され、ノイズ等による検出信号の変動の影響を受けにくいプリピット検出を行うことができる。
【００５８】
請求項２に記載の発明によれば、請求項１に記載の発明と同様、情報ピットによる変化分はキャンセルされ、プリピットによる変化分は、遅延時間をキャンセルした上で、各分割領域の変化分が加えられ、ピークが一致した状態となるので、プリピットの検出マージンが最大化され、ノイズ等による検出信号の変動の影響を受けにくいプリピット検出を行うことができる。
【００５９】
請求項７に記載の発明によれば、記録トラックはグルーブトラック、ガイドトラックはランドトラックとなるようにしたので、情報ピットの検出とプリピットの検出とで、相互に与える影響を軽減しつつ、高性能にプリピット検出を行うことができる。
【図面の簡単な説明】
【図１】本発明の第１実施形態におけるプリピット検出装置の概略構成図である。
【図２】本発明の第１実施形態におけるプリピット検出による検出信号のパターン図である。
【図３】本発明の第２実施形態におけるプリピット検出装置の概略構成図である。
【図４】本発明の第２実施形態におけるプリピット検出による検出信号のパターン図である。
【図５】本発明の第１実施形態をＤＶＤ−Ｒに適用した場合のプリピット検出による検出信号のパターン図である。
【図６】情報記録媒体におけるビームスポットの反射光に対する受光素子の分割形状を示す図である。
【図７】従来のプリピット検出による検出信号のパターン図である。
【符号の説明】
１…グルーブトラック
２…ランドトラック
３…プリピット
１０、１１、２４…減算器
１２、２０、２１…プログラマブルディレイライン
１３、２５…ＣＰＵ
１４、２２、２３…加算器
【図１】
0003887480.tif 000002
【図２】
0003887480.tif 000003
【図３】
0003887480.tif 000004
【図４】
0003887480.tif 000005
【図５】
0003887480.tif 000006
【図６】
0003887480.tif 000007
【図７】
0003887480.tif 000008